(57)【要約】【課題】この発明は、ズーム時において、ズーム率に応じた出力音声が得られる再生装置を提供することを目的とする。【解決手段】音声および映像を再生できかつビデオ信号に対してズーム処理を行う機能を備えた再生装置において、ズーム率に応じて、フロント側のスピーカに対応するオーディオ信号と、サラウンド側のスピーカに対応するオーディオ信号との音量比を制御する制御手段を備えている。制御手段としては、たとえば、ズーム処理が行われているときに、フロント側のスピーカに対応するオーディオ信号の音量を増加させるとともにサラウンド側のスピーカに対応するオーディオ信号の音量を減少させ、上記音量増加および減少の度合いをズーム率が大きくなるほど大きくさせるものが用いられる。【選択図】  図１
2004336430.tif 000002
【特許請求の範囲】
【請求項１】
音声および映像を再生できかつビデオ信号に対してズーム処理を行う機能を備えた再生装置において、
ズーム率に応じて、フロント側のスピーカに対応するオーディオ信号と、サラウンド側のスピーカに対応するオーディオ信号との音量比を制御する制御手段を備えていることを特徴とする再生装置。
【請求項２】
制御手段は、ズーム処理が行われているときには、フロント側のスピーカに対応するオーディオ信号の音量を増加させるとともにサラウンド側のスピーカに対応するオーディオ信号の音量を減少させ、上記音量増加および減少の度合いをズーム率が大きくなるほど大きくさせるものであることを特徴とする請求項１に記載の再生装置。
【請求項３】
音声および映像を再生できかつビデオ信号に対してズーム処理およびズーム画像のパン処理を行う機能を備えた再生装置において、
パン率およびパン方向に応じて、左側のスピーカに対応するオーディオ信号と、右側のスピーカに対応するオーディオ信号との音量比を制御する制御手段を備えていることを特徴とする再生装置。
【請求項４】
制御手段は、パン方向が右方向である場合には、右側のスピーカに対応するオーディオ信号の音量を増加させるとともに左側のスピーカに対応するオーディオ信号の音量を減少させ、パン方向が左方向である場合には、左側のスピーカに対応するオーディオ信号の音量を増加させるとともに右側のスピーカに対応するオーディオ信号の音量を減少させ、いずれの場合にも上記音量増加および減少の度合いをパン率が大きくなるほど大きくさせるものであることを特徴とする請求項３に記載の再生装置。
【請求項５】
音声および映像を再生できかつビデオ信号に対してズーム処理およびズーム画像のパン処理を行う機能を備えた再生装置において、
フロント側の左右２つのスピーカ、
サラウンド側の左右２つのスピーカ、
ズーム率ならびにパン率およびパン方向に基づいて、各スピーカに対応するオーディオ信号の音量を制御する制御手段を備えていることを特徴とする再生装置。
【請求項６】
制御手段は、
ズーム率に応じて、フロント側のスピーカに対応するオーディオ信号と、サラウンド側のスピーカに対応するオーディオ信号との音量比を制御することによって各スピーカに対応するオーディオ信号の音量を決定する第１手段、および
第１手段によって決定された各スピーカの音量を基準として、パン率およびパン方向に応じて、左側のスピーカに対応するオーディオ信号と、右側のスピーカに対応するオーディオ信号との音量比を制御することによって、各スピーカに対応するオーディオ信号の音量を決定する第２手段、
を備えていることを特徴とする請求項５に記載の再生装置。
【発明の詳細な説明】
【０００１】
【発明の属する技術分野】
この発明は、例えば、ＤＶＤプレーヤ等の再生装置に関する。
【０００２】
【従来の技術】
ＤＶＤプレーヤ等の再生装置において、再生時に映像信号をズーム処理する機能を備えたものが知られている。
【０００３】
また、記録時において、指向性を有するマイクロホンによって得られた音声信号と無指向性のマイクロホンによって得られた音声信号とをそれぞれ独立して記録媒体に記録し、再生時においてズーム信号に応じて映像信号をズームするとともに、独立して記録されている音声信号の混合比をズーム信号に応じて制御することにより、再生時のズーム指示と同期した音声を得るようにした再生装置が既に開発されている（特開２００１−２６８５０４号公報参照）。
【０００４】
【特許文献】特開２００１−２６８５０４号公報
【０００５】
【発明が解決しようとする課題】
上記再生装置では、記録時において、指向性を有するマイクロホンと無指向性のマイクロホンとが必要となる。また、記録時において、上記２種類のマイクロホンによって得られた音声信号をそれぞれ独立して記録させておく必要がある。
【０００６】
この発明は、ズーム時において、ズーム率に応じた出力音声が得られる再生装置を提供することを目的とする。
【０００７】
この発明は、ズーム時において、パン率およびパン方向に応じた出力音声が得られる再生装置を提供することを目的とする。
【０００８】
この発明は、ズーム時において、パン率およびパン方向ならびにズーム率に応じた出力音声が得られる再生装置を提供することを目的とする。
【０００９】
【課題を解決するための手段】
請求項１に記載の発明は、音声および映像を再生できかつビデオ信号に対してズーム処理を行う機能を備えた再生装置において、ズーム率に応じて、フロント側のスピーカに対応するオーディオ信号と、サラウンド側のスピーカに対応するオーディオ信号との音量比を制御する制御手段を備えていることを特徴とする。
【００１０】
請求項２に記載の発明は、請求項１に記載の再生装置において、制御手段は、ズーム処理が行われているときには、フロント側のスピーカに対応するオーディオ信号の音量を増加させるとともにサラウンド側のスピーカに対応するオーディオ信号の音量を減少させ、上記音量増加および減少の度合いをズーム率が大きくなるほど大きくさせるものであることを特徴とする。
【００１１】
請求項３に記載の発明は、音声および映像を再生できかつビデオ信号に対してズーム処理およびズーム画像のパン処理を行う機能を備えた再生装置において、パン率およびパン方向に応じて、左側のスピーカに対応するオーディオ信号と、右側のスピーカに対応するオーディオ信号との音量比を制御する制御手段を備えていることを特徴とする。
【００１２】
請求項４に記載の発明は、請求項３に記載の再生装置において、制御手段は、パン方向が右方向である場合には、右側のスピーカに対応するオーディオ信号の音量を増加させるとともに左側のスピーカに対応するオーディオ信号の音量を減少させ、パン方向が左方向である場合には、左側のスピーカに対応するオーディオ信号の音量を増加させるとともに右側のスピーカに対応するオーディオ信号の音量を減少させ、いずれの場合にも上記音量増加および減少の度合いをパン率が大きくなるほど大きくさせるものであることを特徴とする。
【００１３】
請求項５に記載の発明は、音声および映像を再生できかつビデオ信号に対してズーム処理およびズーム画像のパン処理を行う機能を備えた再生装置において、フロント側の左右２つのスピーカ、サラウンド側の左右２つのスピーカ、ズーム率ならびにパン率およびパン方向に基づいて、各スピーカに対応するオーディオ信号の音量を制御する制御手段を備えていることを特徴とする。
【００１４】
請求項６に記載の発明は、請求項５に記載の再生装置において、制御手段は、ズーム率に応じて、フロント側のスピーカに対応するオーディオ信号と、サラウンド側のスピーカに対応するオーディオ信号との音量比を制御することによって各スピーカに対応するオーディオ信号の音量を決定する第１手段、および第１手段によって決定された各スピーカの音量を基準として、パン率およびパン方向に応じて、左側のスピーカに対応するオーディオ信号と、右側のスピーカに対応するオーディオ信号との音量比を制御することによって、各スピーカに対応するオーディオ信号の音量を決定する第２手段を備えていることを特徴とする。
【００１５】
【発明の実施の形態】
以下、図面を参照して、この発明をＤＶＤプレーヤに適用した場合の実施の形態について説明する。
【００１６】
図１は、ＤＶＤプレーヤの電気的構成を示している。
【００１７】
図１において、１はデータ取得部、２はストリームパーサ、３はオーディオ処理部、４はビデオ処理部、５はコントローラ、６はユーザインタフェイスである。なお、以下の説明において、左右とは、画面を正面から見た場合の左右をいうものとする。
【００１８】
データ取得部１によって映像情報および音声情報を含むストリームが取得され、ストリームパーサ２によってストリームから映像情報および音声情報が抽出される。ストリームパーサ２によって抽出された映像情報はビデオ処理部４に送られ、所定のビデオ処理が施された後、ビデオ信号として出力される。ストリームパーサ２によって抽出された音声情報はオーディオ処理部３に送られ、所定のオーディオ処理が施されることによって、各スピーカＦＬ、Ｃ、ＦＲ、ＳＬ、ＳＲに対応するオーディオ信号が出力される。
【００１９】
ユーザインターフェース６には、図２に示すように、ズームモードボタン１１、ズーム率ダウンボタン１２、ズーム率アップボタン１３、クリアボタン１４、カーソル制御ボタン１５等が設けられている。ズームモードボタン１１を押すとズームモードとなり、ズーム率アップボタン１３を押すと、ズーム倍率が大きくなり、ズーム率ダウンボタン１２を押すとズーム倍率が小さくなる。
【００２０】
ズームモード時において、カーソル制御ボタン１５を操作することによって、ズームポイントを移動させることができる。ズームモード時において、クリアボタン１４を押すと、ズームポイントを画面中央に戻すことができる。ズームモード時において、ズームモードボタン１１を押すと、ズームモードが解除され、通常再生モードとなる。
【００２１】
コントローラ５は、ズームモード時には、ズーム率ならびにズームポイントから算出されるパン率およびパン方向をビデオ処理部４に通知する。なお、ズームポイントの初期値は画面の中心である。ビデオ処理部４は、コントローラ５から通知されたズーム率、パン率およびパン方向に基づいてビデオ信号に対してズーム処理およびパン処理を行う。
【００２２】
また、コントローラ５は、ズームモード時には、ズーム率ならびにズームポイントから算出されるパン率およびパン方向に基づいて、各スピーカＦＬ、Ｃ、ＦＲ、ＳＬ、ＳＲのボリューム値を算出して、オーディオ処理部３に通知する。パン率とは、画面の左右中央からズームポイントまで水平距離をパン距離とすると、画面の左右幅に対するパン距離の割合と定義される。オーディオ処理部３は、コントローラ５から通知された各スピーカＦＬ、Ｃ、ＦＲ、ＳＬ、ＳＲのボリューム値に基づいて、各スピーカに対するオーディオ信号の音量を制御する。
【００２３】
音量制御の基本的な考え方は、次の通りである。ズーム時には、フロント側スピーカ（ＦＬ，Ｃ，ＦＲ）の音量を増加させ、かつサラウンド側スピーカ（ＳＬ，ＳＲ）の音量を減少させる。フロント側スピーカの音量を増加率およびサラウンド側スピーカの音量の減少率は、ズーム率が大きくなるほど大きくなる。
【００２４】
また、パン方向が右方向であれば、右側スピーカ（ＦＲ，ＳＲ）の音量を増加させ、左側スピーカ（ＦＬ，ＳＬ）の音量を減少させる。逆に、パン方向が左方向であれば、右側スピーカ（ＦＲ，ＳＲ）の音量を減少させ、左側スピーカ（ＦＬ，ＳＬ）の音量を増加させる。音量の増加率および減少率は、パン率が大きいほど大きくなる。
【００２５】
以下、より具体的に、音量制御方法について説明する。
【００２６】
図３に斜線で示す部分を、図４に示すように、ズームさせる場合について説明する。ズームポイントは図３に示すように、画面中央より距離Ｌだけ右側の位置にある。パン率は、画面の左右幅に対する距離Ｌの割合となる。この例では、パン率は２０％であるとする。また、ズーム率は２５％であるとする。
【００２７】
通常モード時における各スピーカＦＬ、Ｃ、ＦＲ、ＳＬ、ＳＲに対応するオーディオ信号のボリューム値を、図５に示すように、１００とする。
【００２８】
まず、ズーム率に基づいて、フロント側スピーカ（ＦＬ，Ｃ，ＦＲ）のボリューム値と、サラウンド側スピーカ（ＳＬ，ＳＲ）のボリューム値を算出する。
【００２９】
つまり、次式（１）に基づいて、フロント側スピーカ（ＦＬ，Ｃ，ＦＲ）のボリューム値Ｖ’（ＦＬ），Ｖ’（Ｃ）  ，Ｖ’（ＦＲ）を算出するとともに、次式（２）に基づいて、サラウンドスピーカ（ＳＬ，ＳＲ）のボリューム値Ｖ’（ＳＬ），Ｖ’（ＳＲ）を算出する。
【００３０】
Ｖ’（ＦＬ），Ｖ’（Ｃ）  ，Ｖ’（ＦＲ）＝１００×（１＋ズーム率）  …（１）
Ｖ’（ＳＬ），Ｖ’（ＳＲ）          ＝１００×（１−ズーム率）  …（２）
【００３１】
ズーム率は０．２５であるので、図６に示すように、Ｖ’（ＦＬ），Ｖ’（Ｃ）  ，Ｖ’（ＦＲ）＝１２５となり、Ｖ’（ＳＬ），Ｖ’（ＳＲ）＝７５となる。
【００３２】
次にパン率およびパン方向に基づいて、フロント左スピーカＦＬ、フロント右スピーカＦＲ、サラウンド左スピーカＳＬおよびサラウンド右スピーカＳＲのボリューム値を算出する。
【００３３】
この場合、パン方向は右方向であるので、次式（３）〜（６）に基づいて、フロント左スピーカＦＬ、フロント右スピーカＦＲ、サラウンド左スピーカＳＬおよびサラウンド右スピーカＳＲのボリューム値Ｖ’’（ＦＬ）  ，Ｖ’’（ＦＲ）  ，Ｖ’’（ＳＬ）  ，Ｖ’’（ＳＲ）  を算出する。
【００３４】
Ｖ’’（ＦＬ）  ＝Ｖ’（ＦＬ）×（１−パン率）    …（３）
Ｖ’’（ＦＲ）  ＝Ｖ’（ＦＲ）×（１＋パン率）    …（４）
Ｖ’’（ＳＬ）  ＝Ｖ’（ＳＬ）×（１−パン率）    …（５）
Ｖ’’（ＳＲ）  ＝Ｖ’（ＳＲ）×（１＋パン率）    …（６）
【００３５】
なお、パン方向が左方向である場合には、”＋”と”−”とが逆になる。パン率は０．２であるので、図７に示すように、Ｖ’’（ＦＬ）  ＝１２５×０．８＝１００、Ｖ’’（ＦＲ）  ＝１２５×１．２＝１５０、Ｖ’’（ＳＬ）  ＝７５×０．８＝６０、Ｖ’’（ＳＲ）  ＝７５×１．２＝９０となる。
【００３６】
なお、パン方向が右方向である場合には、原画像の幅中心に対して、ズーム画像の幅中心が右側にずれているため、フロント左スピーカＦＬ、フロント中央スピーカＣ、サラウンド左スピーカＳＬそれぞれに対応するオーディオ信号に、その右隣のスピーカに対応するオーディオ信号の一部を加えるようにしてもよい。加算割合は例えばパン率に応じて決定される。つまり、パン方向が右方向である場合には、フロント左スピーカＦＬのオーディオ信号に中央スピーカＣに対応するオーディオ信号の一部を加え、フロント中央スピーカＣのオーディオ信号にフロント右スピーカＦＲに対応するオーディオ信号の一部を加え、サラウンド左スピーカＳＬのオーディオ信号にサラウンド右スピーカＳＲに対応するオーディオ信号の一部を加えるようにしてもよい。
【００３７】
逆に、パン方向が左方向である場合には、原画像の幅中心に対して、ズーム画像の幅中心が左側にずれているため、フロント中央スピーカＣ、フロント右スピーカＦＲ、サラウンド右スピーカＳＲそれぞれに対応するオーディオ信号に、その左隣のスピーカに対応するオーディオ信号の一部を加えるようにしてもよい。加算割合は例えばパン率に応じて決定される。つまり、パン方向が左方向である場合には、フロント中央スピーカＣのオーディオ信号にフロント左スピーカＦＬに対応するオーディオ信号の一部を加え、フロント右スピーカＦＲのオーディオ信号にフロント中央スピーカＣに対応するオーディオ信号の一部を加え、サラウンド右スピーカＳＲのオーディオ信号にサラウンド左スピーカＳＬに対応するオーディオ信号の一部を加えるようにしてもよい。
【００３８】
図８は、コントローラによる再生モード切換処理手順を示している。
【００３９】
再生モード切換処理は、ズームモードボタン１１が押される度に実行される。ズームモードボタン１１が押されると（ステップ１）、現在の再生モードが通常再生モードであるかズームモードであるかを判別する（ステップ２）。現在の再生モードが通常再生モードであれば、再生モードをズームモードに切り換える（ステップ３）。ステップ２において、現在の再生モードがズームモードであると判別された場合には、再生モードを通常再生モードに切り換える（ステップ４）。
【００４０】
図９は、ズームモード時にコントローラによる行われるズームおよび音量制御処理手順を示している。
【００４１】
再生モードがズームモードに切り換えられると（ステップ１１）、コントローラ５は、ズーム率を算出し、算出したズーム率をビデオ処理部４に通知する（ステップ１２）。この場合には、ズームポイントは初期値（画面中央）であるので、コントローラ５は、パン率０をビデオ処理部４に通知する。ビデオ処理部４は、通知されたズーム率に基づいて、ビデオ信号に対してズーム処理を行う。この場合、パン率は０であるので、パン処理は行われない。
【００４２】
また、コントローラ５は、ズーム率と上記式（１）、（２）に基づいて、各スピーカＦＬ、Ｃ、ＦＲ、ＳＬ、ＳＲのボリューム値を算出し、得られた各スピーカ毎のボリューム値をオーディオ処理部３に通知する（ステップ１３）。オーディオ処理部３は、通知された各スピーカ毎のボリューム値に基づいて、各スピーカに対するオーディオ信号の音量を制御する。
【００４３】
この後、コントローラ５は、ズーム率変更操作が行われたか（ステップ１４）、ズームポイントの変更操作が行われたか（ステップ１７）、再生モードが通常再生モードに切り換えられたか（ステップ２１）を判別する。
【００４４】
ズームポイントの変更操作が行われた場合、カーソル制御ボタン１５またはクリアボタン１４が押し下げられた場合には（ステップ１７でＹＥＳ）、コントローラ５は、ズームポイントを算出する（ステップ１８）。また、コントローラ５は、得られたズームポイントに基づいてパン率およびパン方向を算出し、算出したパン率およびパン方向をビデオ処理部４に通知する（ステップ１８）。ビデオ処理部４は、通知されたパン率およびパン方向に基づいて、ビデオ信号に対してパン処理を行う。
【００４５】
また、コントローラ５は、得られたパン率およびパン方向ならびに上記式（３）〜（６）に基づいて、フロント中央スピーカ以外の各スピーカＦＬ、ＦＲ、ＳＬ、ＳＲのボリューム値を算出し、得られたこれらのスピーカのボリューム値をオーディオ処理部３に通知する（ステップ２０）。そして、ステップ２１に移行する。オーディオ処理部３は、通知された上記スピーカ毎のボリューム値に基づいて、上記各スピーカに対するオーディオ信号の音量を制御する。
【００４６】
ズーム率の変更操作が行われた場合、つまり、ズーム率ダウンボタン１２またはズーム率アップボタン１３が操作された場合には（ステップ１４でＹＥＳ）、コントローラ５は、ズーム率を算出し、得られたズーム率をビデオ処理部４に通知する（ステップ１５）。ビデオ処理部４は、通知されたズーム率および現在のパン率に基づいて、ビデオ信号に対してズーム処理およびパン処理を行う。ただし、現在のパン率が０の場合には、パン処理は行われない。
【００４７】
また、コントローラ５は、得られたズーム率、現在のパン率およびパン方向ならびに上記式（１）〜（６）に基づいて、各スピーカＦＬ、Ｃ、ＦＲ、ＳＬ、ＳＲのボリューム値を算出し、得られた各スピーカ毎のボリューム値をオーディオ処理部３に通知する（ステップ１６）。そして、ステップ１７に移行する。オーディオ処理部３は、通知された各スピーカ毎のボリューム値に基づいて、各スピーカに対するオーディオ信号の音量を制御する。
【００４８】
再生モードが通常再生モードに切り換えられると（ステップ２１でＹＥＳ）、ズームモードを解除して（ステップ２２）、ズームおよび音量制御処理を終了する。
【００４９】
【発明の効果】
この発明によれば、ズーム時において、ズーム率に応じた出力音声が得られるようになる。
【００５０】
また、この発明によれば、ズーム時において、パン率およびパン方向に応じた出力音声が得られるようになる。
【００５１】
また、この発明は、ズーム時において、パン率およびパン方向ならびにズーム率に応じた出力音声が得られるようになる。
【図面の簡単な説明】
【図１】ＤＶＤプレーヤの電気的構成を示すブロック図である。
【図２】ユーザインターフェース６に設けられたボタンの一部を示す模式図である。
【図３】ズームされる映像部分を示す模式図である。
【図４】ズーム映像を示す模式図である。
【図５】通常モード時における各スピーカに対応するオーディオ信号のボリューム値を示す模式図である。
【図６】ズーム率に基づいて算出された各スピーカに対応するオーディオ信号のボリューム値を示す模式図である。
【図７】パン率およびパン方向に基づいて算出された各スピーカに対応するオーディオ信号のボリューム値を示す模式図である。
【図８】コントローラによる再生モード切換処理手順を示すフローチャートである。
【図９】ズームモード時にコントローラによる行われるズームおよび音量制御処理手順を示すフローチャートである。
【符号の説明】
１  データ取得部
２  ストリームパーサ
３  オーディオ処理部
４  ビデオ処理部
５  コントローラ
６  ユーザインタフェイス
ＦＬ、Ｃ、ＦＲ、ＳＬ、ＳＲ  スピーカ
【図１】
2004336430.tif 000003
【図２】
2004336430.tif 000004
【図３】
2004336430.tif 000005
【図４】
2004336430.tif 000006
【図５】
2004336430.tif 000007
【図６】
2004336430.tif 000008
【図７】
2004336430.tif 000009
【図８】
2004336430.tif 000010
【図９】
2004336430.tif 000011